(57)【要約】  【課題】眼鏡フレームのヨロイとテンプルを連結する連結構造であって、使用者にソフトな着用感を与え、簡単な構造で安価に製造することができ、デザインの幅を広げることができる連結構造を提供する。  【解決手段】蝶番７０のコマ部が取付けられるヨロイ３０の連結端部が、金属板材により形成されるとともに、略１８０°折り曲げられてなる。また、蝶番７０のコマ部が取付けられるテンプル５０の連結端部が、金属板材により形成されるとともに、略１８０°折り曲げられてなる。【選択図】図１
2011053471.tif 000002
【特許請求の範囲】
【請求項１】
一対のレンズを備える眼鏡フレームにおいて、ヨロイとテンプルとが蝶番で連結される連結構造であって、
前記蝶番のコマ部が取付けられる前記ヨロイの連結端部が、金属板材により形成されるとともに、略１８０°折り曲げられてなることを特徴とする連結構造。
【請求項２】
一対のレンズを備える眼鏡フレームにおいて、ヨロイとテンプルとが蝶番で連結される連結構造であって、
前記蝶番のコマ部が取付けられる前記テンプルの連結端部が、金属板材により形成されるとともに、略１８０°折り曲げられてなることを特徴とする連結構造。
【請求項３】
前記ヨロイが、前記連結端部の近傍に、切欠穴を備えてなる請求項１に記載の連結構造。
【請求項４】
前記テンプルが、前記連結端部の近傍に、切欠穴を備えてなる請求項２に記載の連結構造。
【請求項５】
前記連結端部が、外側に向って折り曲げられている請求項１又は２に記載の連結構造。
【発明の詳細な説明】
【技術分野】
【０００１】
本発明は、眼鏡フレームのヨロイとテンプルとを連結する連結構造に関し、特に、従来のばね蝶番の代わりとなり、ソフトな装着感を与えることができる連結構造に関する。
【背景技術】
【０００２】
一般的な眼鏡フレームは、ヨロイとテンプルとが蝶番によって連結されており、眼鏡を着用するときには、左右のテンプルが夫々フロント部に対して略９０°開き、不使用のときには、左右のテンプルが夫々フロント部の裏側に重なるようにして、折り畳むことができる。
【０００３】
両テンプルを開いた状態で、両テンプル間の距離は、使用者の頭にフィットするように調整される。通常の蝶番を使用する場合には、テンプルの弾性によって少し頭を挟持するように調整されているが、テンプルの弾性だけでは十分な調整ができなかったり、経時的な変化に対応して再調整が必要となったりする。そこで、ばね蝶番と呼ばれる連結構造を使用して適当な挟持力に調整するとともに、長期にわたって安定した挟持力を作用させるようにしている。
【０００４】
比較的簡単なばね蝶番を備えた連結構造として、特許文献１に記載された連結構造がある。図８に示すように、特許文献１に記載された連結構造１１０は、ヨロイ１３０のコマ部１７１とテンプル１５０のコマ部１７２とを軸ねじ１７３によって連結し、蝶番を形成している。
【０００５】
ヨロイ１３０の端部には、収容孔１８１が穿設され、その開口縁部には雌ねじが刻設されている。収容孔１８１には、圧縮状態のコイルばね１８２と、拡径頭部１８４を備えたスライダー１８５が挿入されている。そして、雄ねじを刻設した筒状のストッパー１８６が収容孔１８１の雌ねじに螺着されている。
【０００６】
図８（１）は、テンプル１５０を開いた状態を示し、この状態で使用者の頭を少し挟持するように、スライダー１８５の長さが調整されている。図８（２）は、テンプル１５０をさらに拡開した状態を示し、コイルばね１８２が圧縮されてスライダー１８５に強い力が働き、テンプル１５０を図８（１）の状態に戻そうとする力が働いている。使用者は、図８（２）の状態で眼鏡を装着し、図８（１）に近い状態で使用することになる。したがって、テンプル１５０は、使用者の頭を適当な力で挟持することが可能であり、長期間にわたって安定して挟持力を持続させることができる。
【０００７】
しかしながら、ばね蝶番を用いる連結構造１１０は、構造が大きなものとなるために、眼鏡フレームの外観が損なわれ、使用対象となる眼鏡フレームが限定されるという欠点がある。また、構造が複雑であるために安価に製造することができないという欠点がある。さらに、構造が複雑であるために故障を起こしやすく、修理を行う際にも作業が困難となるという欠点がある。
【先行技術文献】
【特許文献】
【０００８】
【特許文献１】特開平９−１９７３５１号公報
【発明の概要】
【発明が解決しようとする課題】
【０００９】
この発明が解決しようとする課題は、眼鏡フレームのヨロイとテンプルとを回動自在に連結する連結構造であって、使用者にソフトな着用感を与えるとともに簡単な構造で安価に製造することができる連結構造を提供することである。また、眼鏡フレームの外観を損なうことなく、デザインの幅を広げることができる連結構造を提供することである。
【課題を解決するための手段】
【００１０】
本発明の請求項１に係る連結構造は、一対のレンズを備える眼鏡フレームにおいて、ヨロイとテンプルとが蝶番で連結される連結構造であって、前記蝶番のコマ部が取付けられる前記ヨロイの連結端部が、金属板材により形成されるとともに、略１８０°折り曲げられてなる手段を採用している。また、本発明の請求項２に係る連結構造は、一対のレンズを備える眼鏡フレームにおいて、ヨロイとテンプルとが蝶番で連結される連結構造であって、前記蝶番のコマ部が取付けられる前記テンプルの連結端部が、金属板材により形成されるとともに、略１８０°折り曲げられてなる手段を採用している。
【００１１】
また、本発明の請求項３に係る連結構造は、請求項１に記載の連結構造であって、前記ヨロイが、前記連結端部の近傍に、切欠穴を備えてなる手段を採用している。また、本発明の請求項４に係る連結構造は、請求項２に記載の連結構造であって、前記テンプルが、前記連結端部の近傍に、切欠穴を備えてなる手段を採用している。また、本発明の請求項５に係る連結構造は、請求項１又は２に記載の連結構造であって、前記連結端部が、外側に向って折り曲げられている手段を採用している。
【発明の効果】
【００１２】
本発明の連結構造は、蝶番のコマが取付けられるヨロイ又はテンプルの連結端部が、金属板材より形成されるとともに、略１８０°折り曲げられている。このため、ヨロイ又はテンプルの折り曲げられた部分に、大きく変形可能な弾力性を与えることができる。すなわち、ヨロイ又はテンプルは、折り曲げ部を中心に大きく変形させることができる。そして、ばね蝶番を使用した連結構造よりも「しなやかな感じ」を与えることができる。さらに、連結端部のユニークな形状と切欠穴との組み合わせにより、眼鏡フレームの新しいデザインを提供することができる。
【図面の簡単な説明】
【００１３】
【図１】本発明の連結構造を備える眼鏡フレームの一例を示す概略平面図である。
【図２】図１に示す眼鏡フレームの概略正面図である。
【図３】図１に示す眼鏡フレームの概略側面図である。
【図４】本発明の連結構造の一例を示し、（１）は概略平面図、（２）は（１）におけるＡ−Ａ矢視概略側面図、（３）は（１）におけるＢ−Ｂ矢視概略側面図である。
【図５】図４に示す連結構造を構成するヨロイの連結端部とテンプルの連結端部とを示し、（１）は概略平面図、（２）は（１）におけるＣ−Ｃ矢視概略側面図、（３）は（１）におけるＤ−Ｄ矢視概略側面図である。
【図６】図４に示す連結構造を構成する蝶番を示し、（１）は概略平面図、（２）は（１）におけるＥ−Ｅ矢視概略立面図、（３）は（１）におけるＦ−Ｆ矢視概略側面図である。
【図７】本発明の連結構造を例示する説明図を示し、（１）は一方の連結端部が外側に向って折り曲げられる場合、（２）は一方の連結端部が内側に向って折り曲げられる場合、（３）は両方の連結端部が内側に向って折り曲げられる場合を示し、夫々の左図は蝶番が内側にある場合、右図は蝶番が外側にある場合である。
【図８】従来のばね蝶番の一例を示し、（１）は開いた状態における概略平面図、（２）は（１）の状態からさらに拡開した状態における概略平面図である。
【発明を実施するための形態】
【００１４】
図１〜３は、本発明の連結構造１０を備える眼鏡フレーム２０の一例を示し、図１は平面図、図２は正面図、図３は側面図である。一対のレンズ２１、２１を備える眼鏡フレーム２０は、ヨロイ３０とテンプル５０とが蝶番７０で回動自在に連結される連結構造１０を備えている。
【００１５】
図４は、連結構造１０が組立てられた状態を詳細に示し、図５は、ヨロイ３０及びテンプル５０を詳細に示し、図６は、蝶番７０を詳細に示している。ヨロイ３０の連結端部３１は、金属板材により形成されるとともに略１８０°折り曲げられて形成され、ここに蝶番７０のコマ部７１が取付けられている。また、テンプル５０の連結端部５１は、金属板材により形成されるとともに略１８０°折り曲げられて形成され、ここに蝶番７０のコマ部７２が取付けられている。コマ部７１とコマ部７２とは軸ねじ７３によって連結されている。
【００１６】
ヨロイ３０の連結端部３１又はテンプル５０の連結端部５１は、金属板材より形成されて略１８０°折り曲げられることにより、折り曲げられた部分に大きく変形可能な弾力性（ソフトな弾力性）を備えることができる。このとき、フロント部２２又はテンプル５０の他の部分は、剛性の高い状態に維持することもできるし、或いはある程度の弾力性を持たせることもできる。
【００１７】
そして、弾力性と剛性とをほどよく調和させることによって、眼鏡フレーム２０の使用者に「しなやかな感じ」を与えることができる。弾力性と剛性の調整は、ヨロイ３０又はテンプル５０の幅を広くすることにより剛性を増すことができる。また、連結端部３１、５１の近傍の幅を狭くすることにより軟らかさを増すことができる。幅を狭くする代わりに、切欠穴を設けることも有効である。
【００１８】
上記の連結構造１０では、ヨロイ３０及びテンプル５０の両方において、略１８０°折り曲げられた連結端部３１、５１が形成されている。しかし、用いる金属板材を適宜選択することにより、ヨロイ３０又はテンプル５０の一方のみに、略１８０°折り曲げられた連結端部３１、５１を形成することもできる。
【００１９】
また、連結構造１０では、略１８０°折り曲げられた連結端部３１、５１は、何れも外側に向かって折り曲げられている。しかし、連結端部３１、５１は、内側に向かって折り曲げることも可能である。
【００２０】
また、連結構造１０では、連結端部３１の近傍には切欠穴３２が設けられ、連結端部５１の近傍には切欠穴５２が設けられている。そして、蝶番７０のコマ部７１は切欠穴３２を通って連結端部３１にロウ付けされている。蝶番７０のコマ部７２は切欠穴５２を通って連結端部５１にロウ付けされている。しかし、これらの形態は適宜変更することができる。
【００２１】
さらに、連結構造１０では、蝶番７０の取付け位置は、ヨロイ３０及びテンプル５０の内側となっている。しかし、蝶番７０の取付け位置をヨロイ３０及びテンプル５０の外側とすることもできる。
【００２２】
図７は、本発明のバリエーションの例を示している。すなわち、（１）は一方の連結端部が外側に向って折り曲げられる場合であり、左図は蝶番が内側にある場合、右図は蝶番が外側にある場合を示している。（２）は一方の連結端部が内側に向って折り曲げられる場合であり、左図は蝶番が内側にある場合、右図は蝶番が外側にある場合を示している。（３）は両方の連結端部が内側に向って折り曲げられる場合であり、左図は蝶番が内側にある場合、右図は蝶番が外側にある場合を示している。
【００２３】
これらのバリエーションと共に、連結端部３１、５１の形状や切欠穴３２、５２の形状などを変化させることにより、本発明の連結構造は、さらに豊富なバリエーションを備えることになる。したがって、眼鏡フレームの新しいデザインを提供することができる。
【００２４】
さらに、本発明の連結構造は、従来の蝶番を用いる連結構造において、金属板材を折り曲げる作業が追加されるだけであり、極めて簡単に実施することができる。したがって、安価な連結構造を提供することができる。
【符号の説明】
【００２５】
１０、１１０    連結構造
２０    眼鏡フレーム
２１    レンズ
２２    フロント部
３０、１３０    ヨロイ
３１、５１    連結端部
３２、５２    切欠穴
５０、１５０    テンプル
７０    蝶番
７１、７２、１７１、１７２    コマ部
７３、１７３    軸ねじ
１８１    収容孔
１８２    コイルばね
１８４    拡径頭部
１８５    スライダー
１８６    ストッパー
【図１】
2011053471.tif 000003
【図２】
2011053471.tif 000004
【図３】
2011053471.tif 000005
【図４】
2011053471.tif 000006
【図５】
2011053471.tif 000007
【図６】
2011053471.tif 000008
【図７】
2011053471.tif 000009
【図８】
2011053471.tif 000010